(57)【要約】【課題】交流ライン電圧の異常が発生した場合に、その異常を知らせる警報を発して、事故の未然の防止を図ることができる電源装置を提供する。【解決手段】電子機器へ直流電圧を供給する通常の動作と並行して、交流ラインからの入力電圧が正常な電圧範囲を逸脱しているか否かの検知が行なわれる。交流ライン電圧が下限値に達しない場合や上限値を超える場合には、フォトカプラＰＣ１の出力端子Ｎ３−Ｎ４間がオフ状態となり、発光ダイオードＬＤ１およびブザーＢＺ１に電流が流れる。これにより、発光ダイオードＬＤ１が発光するとともにブザーＢＺ１において音が発生し、交流電圧の異常が報知される。【選択図】      図１
2005051899.tif 000002
【特許請求の範囲】
【請求項１】
交流ラインからの入力電圧を整流する整流手段と、上記整流手段において整流された電圧を所定の直流電圧に変換する電圧変換手段とを有し、上記所定の直流電圧を電子機器に供給する電源装置であって、
上記整流手段において整流された電圧が所定の電圧を超えるか否かを検知する電圧検知手段と、
上記電圧検知手段の検知結果に応じて、上記入力電圧の異常を知らせる警報を発する警報手段と、を有することを特徴とする電源装置。
【請求項２】
上記電圧検知手段は、
上記整流手段において整流された電圧が所定の上限電圧を超える場合にオン電流が流れる第１の定電圧素子と、
上記整流手段において整流された電圧が所定の下限電圧を超える場合にオン電流が流れる第２の定電圧素子と、
上記第１の定電圧素子に流れるオン電流を受けてオン状態となる第１のスイッチと、
上記第１のスイッチがオン状態の場合、または、上記第２の定電圧素子がオフ状態の場合にオフ状態となる第２のスイッチと、を含むことを特徴とする請求項１に記載の電源装置。
【請求項３】
上記警報手段は、上記電圧変換手段において変換された上記所定の直流電圧に基づいて、上記入力電圧の異常を知らせる警報情報を生成することを特徴とする請求項１または２に記載の電源装置。
【請求項４】
交流ラインからの入力電圧を直流電圧に変換する第１の電源装置と、上記第１の電源装置から供給される直流電圧に基づいて電子機器のバッテリーを充電する第２の電源装置とを有する電源装置であって、
上記第１の電源装置は、
上記入力電圧が所定の電圧範囲に含まれるか否かを検知する電圧検知手段と、
上記電圧検知手段の検知結果に応じて、上記入力電圧の異常を知らせる異常通知信号を生成し、当該生成した異常通知信号を上記直流電圧に重畳する信号重畳手段と、を含み、
上記第２の電源装置は、
上記直流電圧に上記異常通知信号が重畳されているか否かを検知する信号検知手段と、
上記信号検知手段において上記異常通知信号の重畳が検知された場合、上記入力電圧の異常を知らせる警報を発する警報手段と、を含むことを特徴とする電源装置。
【請求項５】
上記第１の電源装置は、上記入力電圧を整流する整流手段を含み、
上記電圧検知手段は、上記整流手段において整流された電圧が所定の電圧を超えるか否かを検知することを特徴とする請求項４に記載の電源装置。
【請求項６】
上記電圧検知手段は、
上記整流手段において整流された電圧が所定の上限電圧を超える場合にオン電流が流れる第１の定電圧素子と、
上記整流手段において整流された電圧が所定の下限電圧を超える場合にオン電流が流れる第２の定電圧素子と、
上記第１の定電圧素子に流れるオン電流を受けてオン状態となる第１のスイッチと、
上記第１のスイッチがオン状態の場合、または、上記第２の定電圧素子がオフ状態の場合にオフ状態となる第２のスイッチと、を含むことを特徴とする請求項５に記載の電源装置。
【請求項７】
上記信号重畳手段は、
上記電圧検知手段の検知結果に応じて発振を開始する発振手段と、
上記発振手段より出力される発振信号に応じて、上記直流電圧の出力ラインをスイッチングするスイッチング手段と、を含むことを特徴とする請求項４から６の何れか一に記載の電源装置。
【請求項８】
上記警報手段は、上記信号検知手段において上記異常通知信号の重畳が検知された場合、上記電子機器の通信手段に所定の通信先へ所定の警報情報を発信させる制御手段を含むことを特徴とする請求項４から７の何れか一に記載の電源装置。
【請求項９】
上記警報手段は、上記信号検知手段において上記異常通知信号の重畳が検知された場合、上記入力電圧の異常を知らせる所定の警報情報を上記電子機器のユーザーインターフェース手段から出力させる制御手段を含むことを特徴とする請求項４から８の何れか一に記載の電源装置。
【発明の詳細な説明】
【０００１】
【発明の属する技術分野】
本発明は、交流ライン電圧を直流電圧に変換して電子機器に供給する電源装置に係り、例えば、バッテリーを有する携帯電話などの電子機器に直流電圧を供給するＡＣアダプターなどの電源装置に関するものである。
【０００２】
【従来の技術】
近年、屋内配電の単相３線化が進み、配電盤において２００Ｖから１００Ｖへ分圧するケースが増えている。単相３線式の配線は、接地線と２本の電圧線からなっており、２本の電圧線の間に２００Ｖ、電圧線と接地線との間に１００Ｖの電圧が供給されている。そのため、単相３線式の配線から１００Ｖを取り出す場合には、通常、２本の電圧線のうちの一方と接地線とが使用される。
【０００３】
このような単相３線式の配電には、次のような危険性がある。
すなわち、２００Ｖから１００Ｖを取り出す結線部分において接地線の接続が欠落してしまうと、１００Ｖ系として使用されている電圧線に０〜２００Ｖの電圧変動が発生する。このように大きな電圧変動が発生すると、これに繋がる電子機器に故障が発生するだけでなく、発火による火災の危険も生じる。
【０００４】
特許文献１には、例えば上述のような電源電圧の異常を検出し、検出した異常電圧を記憶し、記憶した異常電圧を再現する手段を備える電子機器についての技術が記載されている。
【０００５】
【特許文献１】
特開昭６０−１９５６２７号公報
【０００６】
【発明が解決しようとする課題】
ところで、接地線の欠落等により屋内の交流ラインに異常が発生すると、それに繋がる全ての電子機器に故障や発火の危険が生じ、火災などの事故を招く恐れがある。したがって、このような異常が発生した場合には、例えばブレーカーを遮断するなど、事故を防ぐための早急な行動が必要である。しかしながら、特許文献１に記載される電子機器には、検出した電源電圧の異常を関係者に知らせる手段がないため、電源電圧の異常がそのまま放置される可能性があり、事故を未然に防ぐことができないという不利益がある。
【０００７】
本発明はかかる事情に鑑みてなされたものであり、その目的は、交流ライン電圧の異常が発生した場合に、その異常を知らせる警報を発して、事故の未然の防止を図ることができる電源装置を提供することにある。
【０００８】
【課題を解決するための手段】
本発明の第１の観点は、交流ラインからの入力電圧を整流する整流手段と、上記整流手段において整流された電圧を所定の直流電圧に変換する電圧変換手段とを有し、上記所定の直流電圧を電子機器に供給する電源装置であって、上記整流手段において整流された電圧が所定の電圧を超えるか否かを検知する電圧検知手段と、上記電圧検知手段の検知結果に応じて、上記入力電圧の異常を知らせる警報を発する警報手段と、を有する。
【０００９】
本発明の第２の観点は、交流ラインからの入力電圧を直流電圧に変換する第１の電源装置と、上記第１の電源装置から供給される直流電圧に基づいて電子機器のバッテリーを充電する第２の電源装置とを有する電源装置であって、上記第１の電源装置は、上記入力電圧が所定の電圧範囲に含まれるか否かを検知する電圧検知手段と、上記電圧検知手段の検知結果に応じて、上記入力電圧の異常を知らせる異常通知信号を生成し、当該生成した異常通知信号を上記直流電圧に重畳する信号重畳手段と、を含み、上記第２の電源装置は、上記直流電圧に上記異常通知信号が重畳されているか否かを検知する信号検知手段と、上記信号検知手段において上記異常通知信号の重畳が検知された場合、上記入力電圧の異常を知らせる警報を発する警報手段と、を含む。
【００１０】
上記警報手段は、上記信号検知手段において上記異常通知信号の重畳が検知された場合、上記電子機器の通信手段に所定の通信先へ所定の警報情報を発信させる制御手段を含んでも良い。
【００１１】
また、上記警報手段は、上記信号検知手段において上記異常通知信号の重畳が検知された場合、上記入力電圧の異常を知らせる所定の警報情報を上記電子機器のユーザーインターフェース手段から出力させる制御手段を含んでも良い。
【００１２】
【発明の実施の形態】
以下、本発明の２つの実施形態について、図面を参照して説明する。
【００１３】
＜第１の実施形態＞
図１は、本発明の第１の実施形態に係る、ＡＣアダプター等の電源装置の構成例を示すブロック図である。
【００１４】
図１に例示する電源装置は、フューズ１０１と、整流部１０２と、ノイズ・フィルター部１０３と、電圧変換部１０４と、抵抗Ｒ１〜Ｒ４と、ｎｐｎトランジスタＱ１およびＱ２と、定電圧ダイオードＺＤ１およびＺＤ２と、発光ダイオードＬＤ１と、ブザーＢＺ１と、フォトカプラＰＣ１と、端子Ｔ１〜Ｔ４とを有する。
【００１５】
なお、抵抗Ｒ１，Ｒ２、定電圧ダイオードＺＤ１，ＺＤ２、ｎｐｎトランジスタＱ１、およびフォトカプラＰＣ１を含むユニットは、本発明の電圧検知手段の一実施形態である。
定電圧ダイオードＺＤ１は、本発明の第１の定電圧素子の一実施形態である。
定電圧ダイオードＺＤ２は、本発明の第２の定電圧素子の一実施形態である。
ｎｐｎトランジスタＱ１は、本発明の第１のスイッチの一実施形態である。
フォトカプラＰＣ１は、本発明の第２のスイッチの一実施形態である。
抵抗Ｒ３，Ｒ４、ｎｐｎトランジスタＱ２、発光ダイオードＬＤ１およびブザーＢＺ１を含むユニットは、本発明の警報手段の一実施形態である。
整流部１０２は、本発明の整流手段の一実施形態である。
電圧変換部１０４は、本発明の電圧変換手段の一実施形態である。
【００１６】
整流部１０２は、端子Ｔ１−Ｔ２間に供給される交流ラインからの入力電圧を整流する。
フューズ１０１は、端子Ｔ１と整流部１０２との接続ライン上に挿入されており、所定値を超える電流が流れた場合にその電流を遮断する。
【００１７】
ノイズ・フィルター部１０３は、整流部１０２において整流された電圧を入力し、所定の周波数帯域のノイズ成分を減衰させる。
【００１８】
電圧変換部１０４は、整流部１０２において整流され、ノイズ・フィルター部１０３においてノイズが除去された電圧を入力し、これを直流電圧に変換して端子Ｔ３−Ｔ４間に出力する。
電圧変換部１０４は、例えばフライバック回路などのスイッチングコンバータを用いて構成される。
【００１９】
ｎｐｎトランジスタＱ１のエミッタは、電圧変換部１０４の低電圧側の入力端子ＩＮ２に接続される。
ｎｐｎトランジスタＱ１のコレクタは、定電圧ダイオードＺＤ２および抵抗Ｒ２の直列回路を介して、電圧変換部１０４の高電圧側の入力端子ＩＮ１に接続される。
また、ｎｐｎトランジスタＱ１のベースは、定電圧ダイオードＺＤ１および抵抗Ｒ１の直列回路を介して、電圧変換部１０４の入力端子ＩＮ１に接続される。
【００２０】
なお、定電圧ダイオードＺＤ１，ＺＤ２は、それぞれ正常電圧範囲の上限値，下限値に対応した電圧において定電圧素子としての機能が働く。すなわち、定電圧ダイオードＺＤ１は、正常電圧範囲の上限値を超える電圧が印加された場合にオン状態となり、定電圧ダイオードＺＤ２は、正常電圧範囲の下限値を超える電圧が印加された場合にオン状態となる。
【００２１】
フォトカプラＰＣ１は、入力端子Ｎ１およびＮ２の間に流れる電流の大きさに応じて、この入力端子と電気的に絶縁された出力端子Ｎ３−Ｎ４間の導通を制御する。すなわち、入力端子Ｎ１−Ｎ２間に一定の電流が流れると出力端子Ｎ３−Ｎ４間がオン状態となり、この電流が途絶えると出力端子Ｎ３−Ｎ４間がオフ状態となる。
フォトカプラＰＣ１の入力端子Ｎ１，Ｎ２は、それぞれｎｐｎトランジスタのコレクタ，エミッタに接続され、その出力端子Ｎ３，Ｎ４は、それぞれｎｐｎトランジスタＱ２のベース，エミッタに接続される。
【００２２】
ｎｐｎトランジスタＱ２のエミッタは、電圧変換部１０４の低電圧側の出力端子ＯＵＴ２に接続される。
ｎｐｎトランジスタＱ２のコレクタは、発光ダイオードＬＤ１およびブザーＢＺ１の並列回路と抵抗Ｒ４との直列回路を介して、電圧変換部１０４の高電圧側の出力端子ＯＵＴ１に接続される。
ｎｐｎトランジスタＱ２のベースは、抵抗Ｒ３を介して電圧変換部１０４の出力端子ＯＵＴ１に接続される。
【００２３】
図２は、本実施形態に係る電源装置の外観の一例を図解した図である。
図２に例示する電源装置の本体１０は、対向する１組の面が正方形に近い形状を有し、この１組の面に接する４つの面が横長の長方形の形状を有する、直方体に近い形状を有している。
【００２４】
上述した正方形状の面の一方には、発光ダイオードＬＤ１の光を外部に放射させるための穴１３が設けられており、この穴１３に隣接して、ブザーＢＺ１の音を外部に放射させるための穴１４が設けられている。さらに、この面の中央部には、電源の型式や製造番号、定格等を記したシール１５が貼り付けられている。
【００２５】
また、上述した長方形状の面の１つには、電子機器に供給する直流電圧を伝送するためのケーブル１２が引き出されており、これとは別の長方形状の面の１つには、交流ライン電圧の供給コンセントに対して挿抜される折り畳み式のプラグ１１が設けられている。ケーブル１２中の一対の電線は端子Ｔ１およびＴ２に接続されており、プラグ１１の一対の電極は端子Ｔ３およびＴ４に接続されている。
【００２６】
ここで、上述した構成を有する本実施形態に係る電源装置の動作について、正常時、低電圧異常発生時、および高電圧異常発生時の３つの場合に分けて説明する。
【００２７】
［正常時］
正常時においては、整流部１０２で整流された電圧が所定の上限値と下限値との間にある。この場合、定電圧ダイオードＺＤ１は、上限値より低い電圧が印加されるためオフ状態となり、定電圧ダイオードＺＤ２は、下限値より高い電圧が印加されるためオン状態となる。このため、ｎｐｎトランジスタＱ１はベース電流が遮断されてオフ状態となり、定電圧ダイオードＺＤ２のオン電流がフォトカプラＰＣ１の入力端子Ｎ１−Ｎ２間に流れる。したがって、フォトカプラＰＣ１の出力端子Ｎ３−Ｎ４間がオン状態となる。
【００２８】
フォトカプラＰＣ１の出力端子Ｎ３−Ｎ４間がオン状態になると、ｎｐｎトランジスタＱ２はベース−エミッタ間が短絡されるためオフ状態となり、発光ダイオードＬＤ１およびブザーＢＺ１には何れも電流が流れなくなる。したがって、発光ダイオードＬＤ１は発光せず、ブザーＢＺ１は音を発生しない。
【００２９】
［低電圧異常発生時］
整流部１０２で整流された電圧が下限値に達しない状態になると、定電圧ダイオードＺＤ２がオフ状態となる。このため、定電圧ダイオードＺＤ２からフォトカプラＰＣ１の入力端子Ｎ１−Ｎ２へ流れる電流が途絶えて、フォトカプラＰＣ１の出力端子Ｎ３−Ｎ４間がオフ状態となる。
【００３０】
フォトカプラＰＣ１の出力端子Ｎ３−Ｎ４間がオフ状態になると、電圧変換部１０４の出力端子ＯＵＴ１−ＯＵＴ２から出力される直流電圧が、抵抗Ｒ３を介してｎｐｎトランジスタＱ２のベース−エミッタ間に印加され、ｎｐｎトランジスタＱ２がオン状態となる。ｎｐｎトランジスタＱ２がオン状態になると、発光ダイオードＬＤ１およびブザーＢＺ１の並列回路には、抵抗Ｒ４を介して電圧変換部１０４の出力直流電圧が印加される。したがって、発光ダイオードＬＤ１が発光し、ブザーＢＺ１から音が発生する。
【００３１】
［高電圧異常発生時］
整流部１０２で整流された電圧が上限値を超えた状態になると、定電圧ダイオードＺＤ１がオン状態となる。このため、定電圧ダイオードＺＤ１のオン電流がｎｐｎトランジスタＱ１のベースに供給されて、ｎｐｎトランジスタＱ１がオン状態となる。ｎｐｎトランジスタＱ１がオン状態になると、定電圧ダイオードＺＤ２のオン電流がｎｐｎトランジスタＱ１に流れ、フォトカプラＰＣ１の入力端子Ｎ１−Ｎ２間に電流が流れなくなる。このため、フォトカプラＰＣ１の出力端子Ｎ３−Ｎ４間がオフ状態となる。
フォトカプラＰＣ１の出力端子Ｎ３−Ｎ４間がオフ状態になると、上述の動作によって発光ダイオードＬＤ１が発光し、ブザーＢＺ１から音が発生する。
【００３２】
以上説明したように、本実施形態に係る電源装置によれば、電子機器へ直流電圧を供給する通常の動作と並行して、交流ラインからの入力電圧が正常な電圧範囲を逸脱しているか否かが検知され、正常範囲を逸脱する異常が検知された場合、発光ダイオードＬＤ１の発光やブザーＢＺ１の音によって、その異常を知らせる警報が発せられる。
したがって、交流ライン電圧の異常が関係者へ明確に報知されるため、その異常に迅速に対処することが可能になり、火災等の重大な事故を未然に防止することが可能になる。
【００３３】
また、整流部１０２において整流された電圧が所定の電圧を超えるか否かに基づいて交流ライン電圧の異常が検知されるため、電子機器への直流電圧の供給に使用される回路が異常電圧の検知にも兼用されることになり、回路の簡易化を図ることができる。
【００３４】
しかも、本実施形態に係る電源装置によれば、整流部１０２において整流された電圧が所定の上限電圧を超える場合にオン電流が流れる定電圧ダイオードＺＤ１と、整流部１０２において整流された電圧が所定の下限電圧を超える場合にオン電流が流れる定電圧ダイオードＺＤ２と、定電圧ダイオードＺＤ１に流れるオン電流を受けてオン状態となるｎｐｎトランジスタＱ１と、このｎｐｎトランジスタＱ１がオン状態の場合、または、定電圧ダイオードＺＤ２がオフ状態の場合に出力端子Ｎ３−Ｎ４がオフ状態となるフォトカプラＰＣ１とを用いて、交流ライン電圧の異常が検知される。
したがって、電子機器へ直流電圧を供給する通常動作用の回路に対し、僅か数点の部品を追加するのみで、異常電圧の検知が可能であり、装置の小型化と低コスト化を図ることができる。例えば図２に示すような形状で、従来と同等なサイズを有するＡＣアダプターを実現することが可能である。
【００３５】
さらに、本実施形態に係る電源装置によれば、電圧変換部１０４より出力される直流電圧に基づいて、入力電圧の異常を知らせる警報情報として、発光ダイオードＬＤ１の光やブザーＢＺ１の音が生成される。
したがって、これらの警報用の回路を駆動するために直流電源を別途用意する必要がなく、通常動作用の回路を兼用することができるため、この点においても、装置の小型化と低コスト化を図ることができる。
【００３６】
＜第２の実施形態＞
次に、本発明の第２の実施形態について述べる。
第２の実施形態は、交流ラインからの入力電圧を直流電圧に変換する第１の電源装置と、この第１の電源装置から供給される直流電圧に基づいて電子機器のバッテリーを充電する第２の電源装置とを有しており、入力電圧の異常を警報する手段が第２の電源装置に設けられる。
【００３７】
図３は、本発明の第２の実施形態に係る、第１の電源装置の構成例を示すブロック図である。
図４は、本発明の第２の実施形態に係る第２の電源装置を備えた、携帯電話等の通信装置の構成例を示すブロック図である。
【００３８】
図３および図４に例示する本実施形態に係る電源装置では、第１の電源装置において交流ラインの電圧から変換された直流電圧が、第２の電源装置において通信装置のバッテリーを充電するために用いられる。
まず、この図３および図４に例示する電源装置の各構成について説明する。
【００３９】
図３に例示する第１の電源装置は、図１に示す電源装置における抵抗Ｒ３，Ｒ４、ｎｐｎトランジスタＱ２、発光ダイオードＬＤ１、およびブザーＢＺ１を削除し、その代わりに、本発明の発振手段の実施形態である発振部１０５と、本発明のスイッチング手段の実施形態であるスイッチング部１０６とを設けたものである。
発振部１０５は、抵抗Ｒ５〜Ｒ８と、ｎｐｎトランジスタＱ３およびＱ４と、キャパシタＣ１とを有する。
スイッチング部１０６は、抵抗Ｒ９およびＲ１０と、ｐｎｐトランジスタＱ５と、ｎ型ＭＯＳトランジスタＱ６とを有する。
【００４０】
ｎｐｎトランジスタＱ３のエミッタは、電圧変換部１０４の出力端子ＯＵＴ２に接続され、そのコレクタは、抵抗Ｒ５を介して電圧変換部１０４の出力端子ＯＵＴ１に接続され、そのベースは、ｎｐｎトランジスタＱ４のエミッタに接続される。
また、ｎｐｎトランジスタＱ４のエミッタは、抵抗Ｒ７を介して電圧変換部１０４の出力端子ＯＵＴ２に接続され、そのコレクタは、抵抗Ｒ６を介して電圧変換部１０４の出力端子ＯＵＴ１に接続され、そのベースは、抵抗Ｒ８を介してｎｐｎトランジスタＱ３のコレクタに接続されるとともに、キャパシタＣ１を介して電圧変換部１０４の出力端子ＯＵＴ２に接続される。
【００４１】
フォトカプラＰＣ１の出力端子Ｎ３，Ｎ４は、それぞれｎｐｎトランジスタＱ３のコレクタ，エミッタに接続される。
【００４２】
電圧変換部１０４の出力端子ＯＵＴ１と端子Ｔ３との接続ライン上には、ｐｎｐトランジスタＱ５が挿入される。ｐｎｐトランジスタＱ５のエミッタは出力端子ＯＵＴ１に接続され、そのコレクタは端子Ｔ３に接続される。
また、ｐｎｐトランジスタＱ５のベースには抵抗Ｒ９の一方の端子が接続され、その他方の端子はｎ型ＭＯＳトランジスタＱ６を介して電圧変換部１０４の出力端子ＯＵＴ２に接続される。
ｎ型ＭＯＳトランジスタＱ６のゲートは、抵抗Ｒ１０を介して電圧変換部１０４の出力端子ＯＵＴ３に接続されるとともに、ｎｐｎトランジスタＱ４のコレクタに接続される。
【００４３】
図４に例示する通信装置は、入力検出部２０１と、充電部２０２と、バッテリー２０３と、制御部２０４と、通信処理部２０５と、アンテナ２０６と、ユーザーインターフェース部２０７と、端子Ｔ５およびＴ６とを有する。
なお、入力検出部２０１および制御部２０４を含むユニットは、本発明の信号検知手段の一実施形態である。
また、制御部２０４は、本発明の制御手段の一実施形態である。
【００４４】
入力検出部２０１は、端子Ｔ５−Ｔ６間に所定のレベルを超える直流電圧が供給されているか否かを検出する。
【００４５】
充電部２０２は、端子Ｔ５−Ｔ６間に供給される直流電圧を、制御部２０４の制御に基づいてバッテリー２０３に印加し、これを充電させる。このバッテリー２０３に発生する電圧は、通信装置の各ユニットに供給される。
【００４６】
制御部２０４は、通信装置の全体的な動作に係わる種々の処理を行う。
例えば、制御部２０４は、入力検出部２０１の検出信号を周期的に取得し、この検出信号の変化を調べることによって、端子Ｔ５−Ｔ６間に第１の電源装置の直流電圧が供給されているか否かを検知する。直流電圧の供給を検知した場合、制御部２０４は、充電部２０２を制御してバッテリー２０３の充電を行わせる。
【００４７】
また、制御部２０４は、入力検出部２０１の検出信号の変化から、端子Ｔ５−Ｔ６間の直流電圧に所定周期のパルス信号が重畳されているか否かの検知も行う。パルス信号の重畳を検知した場合、制御部２０４は、交流ライン電圧の異常を知らせる所定の警報情報をユーザーインターフェース部２０から出力させるとともに、通信処理部２０５に所定の通信先へ所定の警報情報を発信させる。
【００４８】
通信処理部２０５は、制御部２０４の制御に基づいて処理の通信処理を行う。
すなわち、制御部２０４から入力される送信データを所定の変調方式で変調することにより送信信号を生成し、これをアンテナ２０６から送出させる。また、アンテナ２０６において受信された信号を所定の復調方式で復調し、受信データを再生して制御部２０４に出力する。
【００４９】
ユーザーインターフェース部２０７は、ユーザーの操作に応じて入力される情報を制御部２０４へ出力する処理、および、制御部２０４の制御に基づいてユーザーに情報を表示する処理を行う。ユーザーインターフェース部２０７には、例えば、押しボタンスイッチやマイク、スピーカー、発光素子、画像表示装置、振動モーターなどの装置が含まれる。
【００５０】
ここで、上述した構成を有する本実施形態に係る電源装置の動作を説明する。
【００５１】
［正常時］
整流部１０２で整流された電圧が所定の上限値と下限値との間にある正常時においては、既に述べた図１に示す電源装置と同様の動作により、フォトカプラＰＣ１の出力端子Ｎ３−Ｎ４間がオン状態になる。
【００５２】
出力端子Ｎ３−Ｎ４間がオン状態になると、ｎｐｎトランジスタＱ４のベース−エミッタ間が抵抗Ｒ８を介して短絡されるため、ｎｐｎトランジスタＱ４がオフ状態になる。
ｎｐｎトランジスタＱ４がオフ状態になると、ｎ型ＭＯＳトランジスタＱ６のゲート−ソース間に抵抗Ｒ１０を介して電圧変換部１０４の出力電圧が印加されるため、ｎ型ＭＯＳトランジスタがオン状態になる。
ｎ型ＭＯＳトランジスタＱ６がオン状態になると、ｐｎｐトランジスタＱ５のベース−エミッタ間に抵抗Ｒ９を介して電圧変換部１０４の出力電圧が印加されるため、ｐｎｐトランジスタＱ５がオン状態となる。
したがって、端子Ｔ３−Ｔ４間には、パルス信号を含まない電圧変換部１０４の直流電圧が出力される。
【００５３】
［異常発生時］
整流部１０２で整流された電圧が所定の上限値を超える場合や所定の下限値に達しない場合などの異常発生時においては、既に述べた図１に示す電源装置と同様の動作により、フォトカプラＰＣ１の出力端子Ｎ３−Ｎ４間がオフ状態になる。
【００５４】
出力端子Ｎ３−Ｎ４間がオフ状態になると、次に述べる動作により、発振部１０５において発振が起こる。
【００５５】
初期状態において、ｎｐｎトランジスタＱ３がオフ状態、キャパシタＣ１が放電状態にあるものとする。この場合、キャパシタＣ１には、抵抗Ｒ５およびＲ８を介して電圧変換部の出力端子ＯＵＴ１から電流が流れ込むため、その電圧が徐々に上昇する。キャパシタＣ１の電圧上昇によりｎｐｎトランジスタＱ４がオン状態になると、電圧変換部１０４の出力端子ＯＵＴ１から抵抗Ｒ１０およびＲ６の並列回路を介してｎｐｎトランジスタＱ３のベースに電流が流れ込み、ｎｐｎトランジスタＱ３がオン状態に変化する。
【００５６】
ｎｐｎトランジスタＱ３がオン状態になると、キャパシタＣ１に充電された電荷が抵抗Ｒ８を介して放電されるため、その電圧が徐々に低下する。キャパシタＣ１の電圧低下によりｎｐｎトランジスタＱ４がオフ状態になると、抵抗Ｒ１０およびＲ６の並列回路を介して流れるｎｐｎトランジスタＱ３のベース電流が遮断されるため、ｎｐｎトランジスタＱ３はオフ状態になる。これにより、上述の初期状態に戻り、同様の動作が反復される。
【００５７】
発振部１０５において上述した発振が起こると、ｎｐｎトランジスタＱ４が周期的にオン状態になる。
ｎｐｎトランジスタＱ４がオン状態になると、ｎ型ＭＯＳトランジスタＱ６のゲート−ソース間には、電圧変換部１０４の出力電圧を抵抗Ｒ６，Ｒ７，Ｒ１０の回路によって分圧した電圧が入力される。抵抗Ｒ６，Ｒ７，Ｒ１０の抵抗値は、この分圧電圧がｎ型ＭＯＳトランジスタＱ６のしきい電圧より低くなるように設定されるため、ｎ型ＭＯＳトランジスタＱ６はオフ状態になる。
ｎ型ＭＯＳトランジスタＱ６がオフ状態になると、ｐｎｐトランジスタＱ５がオフ状態になって、電圧変換部１０４から端子Ｔ３−Ｔ４へ出力される直流電圧が遮断される。
【００５８】
このように、交流ライン電圧の異常が検知された場合には、発振部１０５において発振が開始され、その発振信号に応じてｐｎｐトランジスタＱ６が周期的にオンオフされることにより、第１の電源装置における直流電圧の出力ラインがスイッチングされる。
【００５９】
一方、図５は、第２の電源装置における処理の流れを図解したフローチャートである。
【００６０】
制御部２０４は、入力検出部２０１の検出信号を周期的に取得し（ステップＳＴ１０）、この検出信号の変化を調べることによって、端子Ｔ５−Ｔ６間の直流電圧にパルス信号が重畳されているか否かの検知を行う（ステップＳＴ２０）。
例えば、所定の時間内に端子Ｔ５−Ｔ６間の直流電圧がハイレベルとローレベルとの間で変化する回数を計数し、その回数が規定数に達した場合、直流電圧にパルス信号が重畳されていると判定する。
【００６１】
パルス信号の重畳を検知した場合、制御部２０４は、交流ライン電圧の異常を知らせる所定の警報情報をユーザーインターフェース部２０から出力させる（ステップＳＴ３０）。例えば、発光素子を点滅させたり、画像表示装置に警告文や警告マークを表示させたり、スピーカーから警告音を出力させるなどの処理を行う。
【００６２】
さらに、制御部２０４は、通信処理部２０５に所定の通信先へ所定の警報情報を発信させる処理を行う（ステップＳＴ４０）。例えば、配電設備の保安業務を行う所定の機関や、ユーザーが予めメモリーに記憶させた緊急連絡先等に、交流ライン電圧の異常を知らせる警報情報を発信させる。
【００６３】
以上の処理のあと、制御部２０４は、ユーザーインターフェース部２０において警報出力の解除を命令する所定の操作がユーザーによってなされたか否かを判定し（ステップＳＴ５０）、この警報解除操作がなされた場合、ユーザーインターフェース部２０からの警報の出力を停止させる（ステップＳＴ６０）。
【００６４】
以上説明したように、本実施形態に係る電源装置によれば、第１の電源装置において交流ライン電圧の異常が検知されると、その異常を通知する信号が第１の電源装置の出力直流電圧に重畳され、第２の電源装置に伝送される。第２の電源装置では、第１の電源装置から供給される直流電圧によって通信装置のバッテリーに充電を行う動作と並行して、上述した異常通知信号が入力直流電圧に重畳されているか否かの検知も行なわれる。異常通知信号の重畳が検知されると、その異常を知らせるための警報が第２の電源装置において発せられる。
したがって、交流ライン電圧の異常により第１の電源装置が故障して直流電圧の供給が途絶えても、制御部２０４やその他のユニットにはバッテリーからの電源電圧が供給されるため、警報動作が途中で停止してしまうことを防止できる。これにより、交流ライン電圧の異常をより確実に関係者へ報知することができる。
【００６５】
また、第１の電源装置の出力直流電圧に異常通知信号を重畳させて第２の電源装置に伝送させるため、異常通知信号を伝送するための特別な信号配線が不要である。
【００６６】
さらに、第１の電源装置における直流電圧の出力ラインをスイッチングすることにより異常通知信号が生成されるため、通常動作において直流電圧の供給の有無を検知する回路を、この異常通知信号の検知にも兼用することができる。したがって、追加の回路を新たに設ける必要がなくなり、装置構成を簡易化できる。
【００６７】
また、警報を発生する手段として、通信装置の通常動作用に設けられている通信処理部２０５やユーザーインターフェース部２０７が利用されるため、警報を発生するための特別な回路を新たに追加する必要がない。したがって、この点においても装置構成を簡易化できる。
【００６８】
しかも、通信処理部２０５において警報情報を発信させることにより、離れた場所の人や装置に警報を発することが可能であることから、交流ライン電圧の異常をさらに確実に関係者へ報知することができる。
【００６９】
その他、図１に示す電源装置と同等の構成によって、これと同等の効果を奏することができる。
【００７０】
なお、本発明は上述した実施形態に限定されず、種々の改変が可能である。
例えば、上述した実施形態に係る電源装置では、警報の報知方法として、何れも電気的に動作する装置が用いられているが、本発明はこれに限定されない。例えば、警報発生時に色が変化する物体や、形が変形する物体、匂いや煙を発生する物体などを用いて警報手段を構成しても良い。
【００７１】
上述した実施形態では第２の電源装置を備える通信装置の例が示されているが、本発明はこれに限定されず、バッテリーを備える他の種々の電子機器にも本発明は適用可能である。
【００７２】
図３に示す第１の電源装置には発振手段とスイッチング手段とが設けられているが、これに加えて、図１に示す電源装置と同様な警報手段を第１の電源装置に設けても良い。
【００７３】
【発明の効果】
本発明によれば、交流ライン電圧の異常が発生した場合に、その異常を知らせる警報を発して、事故の未然の防止を図ることができる。
【図面の簡単な説明】
【図１】本発明の第１の実施形態に係るの電源装置の構成例を示すブロック図である。
【図２】本発明の第１の実施形態に係る電源装置の外観の一例を図解した図である。
【図３】本発明の第２の実施形態に係る第１の電源装置の構成例を示すブロック図である。
【図４】本発明の第２の実施形態に係る第２の電源装置を備えた通信装置の構成例を示すブロック図である。
【図５】第２の電源装置における処理の流れを図解したフローチャートである。
【符号の説明】
１０…電源装置の本体、１１…プラグ、１２…ケーブル、１３…発光ダイオード用の穴、１４…ブザー用の穴、１０１…フューズ、１０２…整流部、１０３…ノイズ・フィルター部、１０４…電圧変換部、１０５…発振部、１０６…スイッチング部、２０１…入力検出部、２０２…充電部、２０３…バッテリー、２０４…制御部、２０５…通信処理部、２０６…アンテナ、２０７…ユーザーインターフェース部、Ｒ１〜Ｒ１０…抵抗、Ｑ１〜Ｑ４…ｎｐｎトランジスタ、Ｑ５…ｐｎｐトランジスタ、Ｑ６…ｎ型ＭＯＳトランジスタ、ＺＤ１，ＺＤ２…定電圧ダイオード、ＬＤ１…発光ダイオード、ＰＣ１…フォトカプラ、ＢＺ１…ブザー、Ｔ１〜Ｔ６…端子
【図１】
2005051899.tif 000003
【図２】
2005051899.tif 000004
【図３】
2005051899.tif 000005
【図４】
2005051899.tif 000006
【図５】
2005051899.tif 000007